(57)【要約】【課題】  設置コスト及びメンテナンスコストを削減できる足場用梁挿入装置及び足場用梁挿入方法を提供すること。【解決手段】  足場用梁挿入装置１０は、ボイラに複数組立てられる足場用梁４を把持する把持部１４と、ボイラの炉壁に形成された複数の梁入口部のいずれか一つから足場用梁４をボイラの内部に送り出す送出部１５と、複数の梁入口部のいずれか一つの正面に停止できるようボイラの外部を走行する走行部１３とを備えたことで、足場用梁４を把持して梁入口部から足場用梁４をボイラの内部に挿入する作業を１台の足場用梁挿入装置のみで順次行うことが可能となる。【選択図】    図２
2005264546.tif 000002
【特許請求の範囲】
【請求項１】
ボイラに複数組立てられる足場用梁を把持する把持部と、
前記ボイラの炉壁に形成された複数の梁入口部のいずれか一つから前記把持部に把持された前記足場用梁を前記ボイラの内部に送り出す送出部と、
前記ボイラの外部を走行する走行部とを備え、
前記走行部は、前記複数の梁入口部のいずれか一つの外側に停止できるよう前記把持部及び前記送出部とともに走行することを特徴とする足場用梁挿入装置。
【請求項２】
前記走行部は、前記ボイラの外部に敷設されたレール上を走行することを特徴とする請求項１記載の足場用梁挿入装置。
【請求項３】
ボイラに複数組立てられる足場用梁を把持する把持部と、前記ボイラの炉壁に形成された複数の梁入口部のいずれか一つから前記把持部に把持された前記足場用梁を前記ボイラの内部に送り出す送出部とを備えた足場用梁挿入装置を、前記複数の梁入口部のいずれか一つの外側に停止できるよう前記ボイラの外部で走行させることを特徴とする足場用梁挿入方法。
【発明の詳細な説明】
【技術分野】
【０００１】
本発明は、ボイラ炉内に設置される足場用梁挿入装置及び足場用梁挿入方法に関する。
【背景技術】
【０００２】
ボイラ炉内点検用足場を組立てる際、ボイラの操業を停止し、ボイラ炉内で作業を行うことができる温度にボイラ炉内の温度が下がってから作業員がボイラ炉内に入って作業していたため、莫大なボイラ操業停止時間を要していた。そこで、ボイラ操業停止時間を短縮するための装置として、作業員が炉内に入れない程の高温であっても温度低下を待たずに足場用梁をボイラ炉内に設置することができる足場用梁挿入装置の提案がなされている。例えば、ボイラ炉壁に形成した足場用梁入口部の前面に、足場用梁を挟持してボイラ炉内へ送り込む上下対の足場用梁送りローラをボイラ炉壁に対し前後方向に複数組配設するとともに、ボイラ炉壁の足場用梁入口部より上方に設けた設置口からボイラ炉内へ挿入しかつ先端にボイラ炉内足場用梁と係合可能な係合具が取付けられたワイヤを備えたワイヤ繰出し用ドラムを設けた装置がある（特許文献１参照）。
また、例えば、炉壁の前面に設置されるボイラ鉄骨に固定され、かつ足場用梁置き台から送り出された足場用梁を受け取りボイラ炉内へ送り出すよう足場用梁送りローラを複数本回転自在に備えた下側足場用梁挿入枠体と、足場用梁送りローラと上下に対をなし足場用梁を挟持した状態でボイラ炉内に送り出す足場用梁送りローラを複数本回転自在に備えた上側足場用梁挿入枠体とからなる装置がある（特許文献２参照）。
【特許文献１】特開平５−５３５８号公報
【特許文献２】実開平５−３４８１号公報
【発明の開示】
【発明が解決しようとする課題】
【０００３】
ところで、このような足場用梁挿入装置は、ボイラ炉壁の複数箇所に形成された各足場用梁入口部にそれぞれ設置されていた。そのため、それら足場用梁挿入装置を個々に設置しなければならず、その際の設置コスト、及びそれら足場用梁挿入装置を個々にメンテナンスするためのメンテナンスコストが膨大なものとなってしまうという問題があった。
【０００４】
本発明は、このような事情を考慮してなされたもので、設置コスト及びメンテナンスコストを削減できる足場用梁挿入装置及び足場用梁挿入方法を提供することを目的とする。
【課題を解決するための手段】
【０００５】
本発明は、上記課題を解決するため、以下の手段を採用する。すなわち本発明に係る足場用梁挿入装置は、ボイラに複数組立てられる足場用梁を把持する把持部と、前記ボイラの炉壁に形成された複数の梁入口部のいずれか一つから前記把持部に把持された前記足場用梁を前記ボイラの内部に送り出す送出部と、前記ボイラの外部を走行する走行部とを備え、前記走行部は、前記複数の梁入口部のいずれか一つの外側に停止できるよう前記把持部及び前記送出部とともに走行することを特徴とする。
本発明によれば、足場用梁挿入装置が複数の梁入口部のいずれか一つの外側に停止できるようボイラの外部を走行できるため、足場用梁を把持して梁入口部から足場用梁をボイラの内部に送り出す作業を１台の足場用梁挿入装置のみで順次行うことが可能となる。
【０００６】
また、本発明に係る足場用梁挿入装置において、前記走行部は、前記ボイラの外部に敷設されたレール上を走行することを特徴とする。
本発明によれば、足場用梁挿入装置がレール上を走行することにより、足場用梁挿入装置の走行が安定し、また、足場用梁挿入装置の走行に関する操作が容易となる。
【０００７】
また、本発明に係る足場用梁挿入方法は、ボイラに複数組立てられる足場用梁を把持する把持部と、前記ボイラの炉壁に形成された複数の梁入口部のいずれか一つから前記把持部に把持された前記足場用梁を前記ボイラの内部に送り出す送出部とを備えた足場用梁挿入装置を、前記複数の梁入口部のいずれか一つの外側に停止できるよう前記ボイラの外部で走行させることを特徴とする。
本発明によれば、足場用梁を把持しボイラの内部に送り出した後、足場用梁挿入装置を複数の梁入口部のいずれか一つの外側に停止できるようボイラの外部で走行させるため、足場用梁を把持して梁入口部から足場用梁をボイラの内部に送り出す作業を１台の足場用梁挿入装置のみで順次行うことが可能となる。
【発明の効果】
【０００８】
本発明の足場用梁挿入装置及び足場用梁挿入方法によれば、足場用梁を把持して梁入口部から足場用梁をボイラの内部に送り出す作業を１台の足場用梁挿入装置のみで順次行うことが可能となるので、足場用梁挿入装置を設置する際の設置コスト、及びそれら足場用梁挿入装置をメンテナンスするためのメンテナンスコストを削減することができる。
【発明を実施するための最良の形態】
【０００９】
以下、本発明の実施の形態について、図面を参照して説明する。
図１は、本発明を適用した足場用梁挿入装置を示す図である。この足場用梁挿入装置１０は、ボイラ１の炉壁２に形成された複数の梁入口部３からボイラ１の内部に足場用梁４を把持しながら挿入し、炉壁２に対向する炉壁５に形成された複数の梁出口部６からボイラ１の外部に足場用梁４の一部を排出する装置である。
【００１０】
なお、これら梁入口部３は、ボイラ１の炉壁２に一定の間隔で例えば６個配置されている。ここで、便宜上、炉壁２の外側から見て左側から梁入口部３ａ，３ｂ，３ｃ，３ｄ，３ｅ，３ｆとする。また、これら梁出口部６は、梁入口部３ａ，３ｂ，３ｃ，３ｄ，３ｅ，３ｆにそれぞれ挿入された足場用梁４が排出できるように、ボイラ１の炉壁５に梁入口部３の間隔と等しい間隔で例えば６個配置されている。ここで、便宜上、炉壁５の外側から見て右側から梁出口部６ａ，６ｂ，６ｃ，６ｄ，６ｅ，６ｆとする。
足場用梁４は、それら梁入口部３からそれぞれ挿入されてボイラ１の内部に組立てられる梁であり、分断された複数の小梁４ａ，４ｂ，４ｃ，・・・が直列に接合された構成となっている。
【００１１】
また、梁入口部３の外側であって炉壁２とレール７との間には、それぞれの足場用梁４を支持する支持台８が設けられており、便宜上、炉壁２の外側から見て左側から支持台８ａ，８ｂ，８ｃ，８ｄ，８ｅ，８ｆとする。そして、梁出口部６の外側には、それぞれの足場用梁４を支持する支持台９が設けられており、便宜上、炉壁５の外側から見て右側から支持台９ａ，９ｂ，９ｃ，９ｄ，９ｅ，９ｆとする。
【００１２】
図２は、足場用梁挿入装置１０の概略の構成を示す図である。なお、足場用梁挿入装置１０において主要な構成要素のみを示し、他の構成要素については図示を省略する。
足場用梁挿入装置１０は、足場用梁挿入装置本体１１と、足場用梁挿入装置本体１１の上部に配置された２つの足場用梁支持部１２とを備えている。
足場用梁挿入装置本体１１は、ボイラ１の炉壁２に沿うようにボイラ１の外部の地面に敷設されたレール７上に設置されている。この足場用梁挿入装置本体１１の各隅角部には、レール７を把持してレール７上を走行可能な走行部１３が設けられている。
【００１３】
また、これら２つの足場用梁支持部１２は、いずれも同形状であり、それぞれ２本の脚部１２ａ，１２ｂと梁部１２ｃとを有して門型に構成され、走行方向に対して平行となるように配置されている。それぞれの脚部１２ａ，１２ｂには、足場用梁４を両側から挟み込むように把持する把持部１４が設けられている。また、足場用梁挿入装置本体１１及び梁部１２ｃには、梁入口部３からボイラ１の内部に足場用梁４を送り出すローラ（送出部）１５が設けられている。なお、これら走行部１３、把持部１４及びローラ１５は、油圧モータを用いて駆動されている。ここで、走行部１３は、図示しないローラがレール７の上側及び下側からレール７を把持しており、それらローラを回転駆動することによって、レール７上をレール７に沿って走行可能となる。また、把持部１４は、足場用梁４に対して接近及び離間する方向に駆動する。また、ローラ１５は、足場用梁を送り出す方向に回転駆動する。これら走行部１３、把持部１４及びローラ１５を駆動するためのスイッチ１６は、足場用梁挿入装置本体１１に取付けられ、オペレータによって操作される。
【００１４】
このような足場用梁挿入装置１０を用いて梁入口部３からボイラ１の内部に複数の足場用梁４を挿入する場合、足場用梁挿入装置１０は、梁入口部３ａの外側、すなわち正面で停止し、１本の足場用梁４を把持した後、１本の足場用梁４を送出して梁入口部３ａからボイラ１の内部に１本の足場用梁４を挿入し、足場用梁４の一部を梁出口部６ａから排出して足場用梁４を設置した後、レール７上を走行して梁入口部３ｂの正面まで移動して停止し、同様にして梁入口部３ｂからボイラ１の内部に１本の足場用梁４を設置する。このような工程を繰り返すことによって、梁入口部３からボイラ１の内部に複数の足場用梁４を設置する。すなわち、以下のような手順で複数の足場用梁４を設置する。
【００１５】
まず、ボイラ１の炉壁２の最も左側に配置されている梁入口部３ａの正面まで足場用梁挿入装置１０が走行して停止する。そして、足場用梁４の一部である小梁４ａを運搬して足場用梁支持部１２内に挿入し、その小梁４ａを把持部１４で把持する。その後、小梁４ａの把持部１４での把持を解除して小梁４ａをローラ１５で炉壁２の梁入口部３ａの方向に送出する。
小梁４ａの一端が支持台８ａに支持されたとき、小梁４ａの送出を一時的に停止し、足場用梁４の一部である小梁４ｂを運搬して小梁４ａの他端に直列に接合する。小梁４ａと小梁４ｂとを接合した後、小梁４ｂを送出して小梁４ａの先端を梁入口部３ａに挿入する。
【００１６】
上記と同様にして小梁４ｂに小梁４ｃ，４ｄ，４ｅ，４ｆ，４ｇをそれぞれ直列に接合しながら、梁入口部３ａからボイラ１の内部にこれら小梁４ａ〜４ｇによって構成された１本の足場用梁４を挿入し、足場用梁４の一部、すなわち小梁４ａの先端を梁出口部６ａから排出して足場用梁４を設置する。このとき、小梁４ａの先端が支持台９ａに支持される。その後、小梁４ａを支持台９ａに固定し、小梁４ｆを支持台８ａに固定し、小梁４ｆと小梁４ｇとの接合を解除することで、梁入口部３ａに挿入された足場用梁４の設置が完了する。
【００１７】
梁入口部３ａに挿入された足場用梁４の設置が完了した後、梁入口部３ａの隣りに配置された梁入口部３ｂの正面まで足場用梁挿入装置１０が走行して停止する。そして、上記と同様の方法で、梁入口部３ｂに挿入された足場用梁４を設置する。
その後、足場用梁挿入装置１０が梁入口部３ｃ，３ｄ，３ｅ，３ｆそれぞれの正面に移動して、上記と同様の方法を繰り返すことで、梁入口部３ｃ，３ｄ，３ｅ，３ｆそれぞれに挿入された足場用梁４の設置が完了することとなる。
【００１８】
この場合、足場用梁４を把持部１４で把持しボイラ１の内部に挿入した後、足場用梁挿入装置１０が梁入口部３ａ〜３ｆのいずれか一つの正面に停止できるようボイラ１の外部に敷設されたレール７を走行できるため、足場用梁４を把持部１４で把持して梁入口部３ａから足場用梁４をボイラ１の内部に挿入する作業を１台の足場用梁挿入装置１０のみで順次行うことが可能となる。したがって、足場用梁挿入装置１０を設置する際の設置コスト、及びそれら足場用梁挿入装置１０をメンテナンスするためのメンテナンスコストを削減することができる。
【００１９】
また、足場用梁挿入装置１０がボイラ１の外部に敷設されたレール７上を走行することにより、足場用梁挿入装置１０の走行がレール７上で安定し、また、足場用梁挿入装置１０の走行に関する操作が容易となる。
【００２０】
なお、上記実施の形態において、梁入口部３ａ，３ｂ，３ｃ，３ｄ，３ｅ，３ｆの順に足場用梁４を挿入して設置することは、作業効率を向上させるという点で好ましいが、必ずしもこの順番で足場用梁４を挿入して設置することはない。足場用梁４を挿入して設置する順番を任意に変化させても、足場用梁挿入装置１０がレール７上を自由に移動できることで、上記実施の形態と同様、１台の足場用梁挿入装置１０のみで対応可能である。したがって、このような場合においても、足場用梁挿入装置１０の設置コスト及びメンテナンスコストの点において十分な効果が得られる。
【００２１】
また、上記実施の形態において、足場用梁挿入装置１０は、ボイラ１の外部に敷設されたレール７上を走行するものでなくてもよい。すなわち、レール７が敷設されていない場合、ボイラ１の炉壁２に沿って走行可能な足場用梁挿入装置１０であれば、レール７上を走行する足場用梁挿入装置１０と同様の効果が得られる。
【図面の簡単な説明】
【００２２】
【図１】本発明における実施の形態に係る足場用梁挿入装置が配置されたボイラの部分斜視図である。
【図２】本発明における実施の形態に係る足場用梁挿入装置の概略構成図である。
【符号の説明】
【００２３】
１  ボイラ
２  炉壁
３  梁入口部
４  足場用梁
５  炉壁
６  梁出口部
１０  足場用梁挿入装置
１１  足場用梁挿入装置本体
１２  足場用梁支持部
１３  走行部
１４  把持部
１５  ローラ（送出部）
【図１】
2005264546.tif 000003
【図２】
2005264546.tif 000004